(57)【要約】【課題】外調機と内調機を備える空調システムで、不感帯制御を効率よく行うことにより、より多くの省エネを実現できる空調制御方法と空調制御装置を提供する。【解決手段】外調機及び内調機を備え、室内空気の少なくとも一部を排気して残りを循環する環気とし、該環気に排気に見合う外気を取り入れて混合し、室内の温度及び湿度を制御する空調制御方法又は装置である。外気と環気とを混合した混合気の温度及び湿度が、所定値の公差幅の上限値又は下限値になるように外気の温度及び湿度を制御する。このため、外調機により制御される前の外気の目標とする温度及び湿度と、混合前の環気の温度及び湿度とを計測し、その温度差及び湿度差から外気の温度及び湿度を演算して制御する。なお、外気と環気とを混合した混合気が、所定値の公差幅内にあるときは内調機の制御を停止する。【選択図】図２
2007232331.tif 000002
【特許請求の範囲】
【請求項１】
外調機及び内調機を備え、室内空気の少なくとも一部を排気して残りを循環する環気とし、該環気に排気に見合う外気を取り入れて混合し、室内の温度及び湿度を制御する空調制御方法であって、
前記外気と前記環気とを混合した混合気の温度及び湿度が、所定値の公差幅の上限値又は下限値になるように前記外気の温度及び湿度を制御することを特徴とする空調制御方法。
【請求項２】
前記外調機により制御される前の外気の温度及び湿度と、混合前の環気の温度及び湿度とを計測し、その温度差及び湿度差から前記外気の目標とする温度及び湿度を演算し制御することを特徴とする請求項１に記載の空調制御方法。
【請求項３】
前記外気と前記環気とを混合した混合気が、前記所定値の公差幅内にあるときは前記内調機の制御を停止することを特徴とする請求項１又は２に記載の空調制御方法。
【請求項４】
外調機及び内調機を備え、室内空気の少なくとも一部を排気して残りを循環する環気とし、該環気に排気に見合う外気を混合して室内の温度及び湿度を制御する空調制御装置であって、
前記外気と前記環気とを混合した混合気の温度及び湿度が、所定値の公差幅の上限値又は下限値になるように前記外気の温度及び湿度を制御する制御手段を備えていることを特徴とする空調制御装置。
【発明の詳細な説明】
【技術分野】
【０００１】
本発明は、循環する室内空気の一部を排気し、排気に見合う外部空気を混合して室内の温度及び湿度を所定の範囲に制御する空調制御方法及び空調制御装置に関する。
【背景技術】
【０００２】
クリーンルーム等の空調システムで、室内の空気清浄度を一定にし有害溶剤の濃度を一定以下に維持するために、一般に室内を循環する空気の一部を排気し、この排気した量に見合う空気を外部から取り入れている。この場合、外部から取り入れる空気（以下、外気と言う）と室内に再循環させる空気（以下、環気と言う）は、混合されて所定の温度及び湿度（以下、温湿度と言う）に制御されて、室内に吹き出される。
【０００３】
上述した従来の一般的な空調システムは、例えば、図５に示すような概念図で示される。この空調システムは、クリーンルーム１に所定の温湿度に調整された空気を供給する空調機２、外気を取り入れる外気ダクト３、クリーンルーム１に所定の温湿度に調整された空気を供給する給気ダクト４、クリーンルーム１から再循環させる環気を取り出す環気ダクト５、室内の空気の一部を外部に排気する排気ダクト６を有している。空調機２は、排気に見合った量の外気と循環する環気とが混合された空気（以下、混合気と言う）を、所定の温湿度に調整してクリーンルーム１に吹き出す。
【０００４】
空調機２は、塵や埃等の微粒子を取り除くフィルタ８、冷却コイル９、加熱コイル１０、加湿コイル１１、送風ファン１２を有している。冷却コイル９には、冷凍機から冷却のための冷水等が供給され、加熱コイル１０には、ボイラから加熱のための温水、蒸気等が供給され、加湿コイル１１には加湿のための水、蒸気等が供給される。これら、冷水、温水、蒸気等の供給は、クリーンルーム１に設置された温度計７ａ１、湿度計７ｂ１により計測される値が所定値になるように、それぞれの供給バルブ１３，１４，１５の開度をＰＩＤコントローラ１６，１７，１８により制御して行われる。なお、温度計７ａ１、湿度計７ｂ１によるセンサ信号は、セレクタ１９に入力される。
【０００５】
上記の空調制御システムで、図６の湿り空気線図に示すように、クリーンルーム１内の温湿度を目標点Ｐとし、外気又は混合気がこれより高い温湿度のＨ点であるとする。この場合、外気又は混合気は、先ず、点線で示すように、Ｈ点から相対湿度１００％の曲線軸と交わる（露点温度となる）Ｍ点まで冷却される。次いで、相対湿度１００％の曲線軸に沿って目標点Ｐの絶対湿度となるＮ点まで冷却、除湿され、この後、冷やし過ぎ分を加熱により戻して目標点Ｐに達するように制御される。また、外気又は混合気が目標点Ｐより低いＬ点であるとする。この場合は、先ず、点線で示すようにＬ点から目標点Ｐの温度のＫ点まで加熱され、次いで、目標点Ｐの絶対湿度となるように加湿されて、目標点Ｐに達するように制御される。
【０００６】
上述の温湿度の制御によれば、例えば、Ｈ点からＰ点に至る径路で、Ｈ→Ｍに調整するエネルギーＥ１、Ｍ→Ｎに調整するエネルギーＥ２、Ｎ→Ｐに調整するエネルギーＥ３が必要となる。しかし、通常、空調システムでは、目標点に対して枠Ｓで示されるような許容できる公差の範囲が設定されていて、例えば、制御目標点の温湿度で、温度（乾球温度）が２４℃±３℃、湿度（相対湿度）が４５％±１０％というように設定されているとする。そこで、Ｈ点から中心の目標点Ｐに制御するのではなく、Ｈ点から枠Ｓまでの最短径路（Ｈ → Ｍ → Ｎ’→Ｓ）、また、Ｌ点から枠Ｓまでの最短径路（Ｈ → Ｍ → Ｋ’→Ｓ）で制御することにより、必要なエネルギーを低減する制御方法（不感帯制御とも言われている）が知られている（例えば、特許文献１参照）。
【０００７】
図７は、上記の不感帯制御による省エネを説明する図である。不感帯制御は、例えば、目標値の温度が２４℃で、公差幅が±３℃に設定されているとすると、図７（Ａ）に示すように、公差幅の上限値（２７℃）又は下限値（２１℃）になるまでは比例制御が行われる。なお、比例制御には、一般に、制御対象の目標値と実際の計測値の偏差を、比例演算（Ｐ制御）、積算演算（Ｉ制御）及び微分演算（Ｄ制御）して制御対象に制御操作量を出力するＰＩＤ制御が用いられる。
【０００８】
図７（Ｂ）は、不感帯制御による温度の変化状態を示し、冷却により上限値の２７℃に達した時点でＰＩＤ制御をＯＦＦとする。温度は、多少オーバーシュートして２７℃より低い温度まで冷やされるが、冷却制御をＯＦＦとすることにより冷却コイルの駆動が停止されこれによるエネルギーの消費はゼロとなる。この後、温度が上昇して上限値の２７℃を超えた時点で、ＰＩＤ制御が再びＯＮされ２７℃に達した時点でＯＦＦとし、以下、このＯＮ、ＯＦＦが繰り返される。下限値の２１℃側でも同様で、加熱によるＰＩＤ制御のＯＮ、ＯＦＦが繰り返される。また、除湿、加湿による湿度の不感帯制御についても同様に行われる。
【０００９】
上述の不感帯制御に対して、通常の制御は、図７（Ｃ）及び図７（Ｄ）に示すようになる。すなわち、目標値の温度２４℃に達するまで冷却あるいは加熱のＰＩＤ制御が行われ、この後、２４℃の温度を境にＯＮ、ＯＦＦによるオーバーシュートを繰り返す。このため、目標値に達するまでの制御時間が長くなり、そのためのエネルギー消費も大きく、さらに、目標値を中心とするＯＮ、ＯＦＦ制御が頻繁となる。
【００１０】
また、空調システムで、環気と外気の混合気の温湿度を制御する内調機と外気の温湿度を制御する外調機を用いることが知られている（例えば、特許文献２、特許文献３参照）。図８は、従来の内調機と外調機を用いた空調システムの一例を説明する図である。なお、図５に示した空調システムと同じ機能を有する部分には同じ符号を用いることで詳細な説明を省略し、また、外調機に対しては内調機と同様な機能を有する部分に「ａ」を付して示してある。
【００１１】
図８に示す空調システムは、クリーンルーム１等の空調制御において、図５で示した空調システムに外調機２ａを付加した構成例で、内調機２、外調機２ａ、外気ダクト３、外気給気ダクト３ａ、給気ダクト４、環気ダクト５及び排気ダクト６を有している。なお、内調機２は、図５では「空調機」でして説明しているが、実質的には同等のものである。内調機２には、外調機２ａにより予めクリーンルーム１内に吹き出される温湿度に近似する値に調整された外気と、クリーンルーム１からの環気とが混合された混合気が取り入れられ、所定の温湿度に再調整されてクリーンルーム１に吹き出される。
【００１２】
内調機２は、塵や埃等の微粒子を取り除くフィルタ８、冷却コイル９、加熱コイル１０、加湿コイル１１、送風ファン１２を有している。冷却コイル９には、冷凍機２０から冷却のための冷水等が供給され、加熱コイル１０には、ボイラ２１から加熱のための温水、蒸気等が供給され、加湿コイル１１には加湿のための水、蒸気等が供給される。これら、冷水、温水、蒸気等は、クリーンルーム１に設置された温度計７ａ１、湿度計７ｂ１により計測された温湿度が所定値になるように、それぞれの供給バルブ１３，１４，１５の開度が制御される。
【００１３】
外調機２ａは内調機２と同様の構成で、塵や埃等の微粒子を取り除くフィルタ８ａ、冷却コイル９ａ、加熱コイル１０ａ、加湿コイル１１ａ、送風ファン１２ａを有している。そして、冷却コイル９ａには冷凍機２０から冷却のための冷水等が供給され、加熱コイル１０ａには、ボイラ２１から加熱のための温水、蒸気等が供給され、加湿コイル１１ａには加湿のための水、蒸気等が供給される。これら、冷水、温水、蒸気等は、外調機２ａの出口に設置された温度計７ａ２、湿度計７ｂ２により計測される温湿度が所定値になるように、それぞれの供給バルブ１３ａ，１４ａ，１５ａの開度が制御される。
【００１４】
上述のように外調機２ａと内調機２を備え、外調機２ａにより外気の温湿度を所定値に調整しておくことにより、外気と環気の混合気を内調機２で制御する際に、内調機２の負担を軽減し、全体として省エネを実現することができるとされている。
【特許文献１】特開２００４−２４５５５２号公報
【特許文献２】特開２００４−２４５５４６号公報
【特許文献３】特開２００４−２９３８８６号公報
【発明の開示】
【発明が解決しようとする課題】
【００１５】
特許文献１に開示されるように不感帯制御を行うことにより、ある程度の省エネを実現することは可能である。しかし、外気と環気を混合した後に単一の空調機で制御するので、冷房・除湿又は加熱・加湿する制御量が大きく、これだけでは十分な省エネは期待することができない。また、特許文献２，３に開示のように、外調機で外気を予め目標値に近似する温湿度に調整しておくことにより、ある程度の省エネを期待することができる。しかし、外気を目標値に近い値に調整するので、外気と環気の混合気は、混合した時点ですでに公差幅内の目標値近くに調整されていると言うことであり、不感帯制御を超えた必要以上の制御を行っていることになり、無駄なエネルギーの消費につながっていた。
【００１６】
本発明は、上述した実情に鑑みてなされたもので、外調機と内調機を備える空調システムで、不感帯制御を効率よく行うことにより、より多くの省エネを実現できる空調制御方法と空調制御装置の提供を目的とする。
【課題を解決するための手段】
【００１７】
本発明による空調制御方法及び装置は、外調機及び内調機を備え、室内空気の少なくとも一部を排気して残りを循環する環気とし、該環気に排気に見合う外気を取り入れて混合し、室内の温度及び湿度を制御する空調制御方法又は装置であって、外気と環気とを混合した混合気の温度及び湿度が、所定値の公差幅の上限値又は下限値になるように外気の温度及び湿度を制御する。
また、本発明による空調制御で、外調機により制御される前の外気の目標とする温度及び湿度と、混合前の環気の温度及び湿度とを計測し、その温度差及び湿度差から外気の温度及び湿度を演算して制御する。なお、外気と環気とを混合した混合気が、所定値の公差幅内にあるときは内調機の制御を停止する。
【発明の効果】
【００１８】
本発明によれば、外調機による外気の温湿度を必要以上に制御するのを抑制することができ、制御目標の公差幅の上限と下限の領域で、不感帯制御を効率よく実施することが可能となる。この結果、従来に比べてより大きな省エネを実現することができる。
【発明を実施するための最良の形態】
【００１９】
図により本発明の実施の形態を説明する。図１は、本発明による空調制御装置の概略を説明する図、図２は本発明による空調制御方法の概略を説明する図である。図３は本発明における外調機の制御の一例を説明する図、図４は本発明における内調機の制御の一例を説明する図である。なお、図中の符号は、図８で説明したのと同等の機能を備える部分には同じ符号を用いることで、説明を簡略化する。
【００２０】
本発明による空調制御は、例えば、クリーンルーム１内を所定の温度及び湿度（温湿度）に制御するのに、それぞれ個別に制御される内調機２と外調機２ａが用いられる。内調機２は、クリーンルーム１から環気ダクト５を経て循環される環気に、所定の温湿度に調整された外気を混合した混合気を所定の温湿度に調整する。内調機２で制御された混合気は、給気ダクト４を経てクリーンルーム１内に吹出され、室内を所定の温湿度に維持する。また、室内の空気の一部は、排気ダクト６を経て外部に排気され、この排気量に見合う量の外気が外気給気ダクト３ａを経て導入される。
【００２１】
内調機２には、図８の構成例と同様なものが用いられ、塵や埃等の微粒子を取り除くフィルタ８、冷却コイル９、加熱コイル１０、加湿コイル１１、送風ファン１２を有している。冷却コイル９には、冷凍機２０から冷却のための冷水等が供給され、加熱コイル１０には、ボイラ２１から加熱のための温水、蒸気等が供給され、加湿コイル１１には加湿のための水、蒸気等が供給される。これら、冷水、温水、蒸気等は、クリーンルーム１内に設置された温度計７ａ１、湿度計７ｂ１により計測された温湿度が所定値になるように、それぞれの供給バルブ１３，１４，１５の開度が制御される。これら供給バルブの開度は、ＰＬＣ（Programmable Logic Controller）とＰＩＤ制御手段を備える制御装置２２により制御される。
【００２２】
外調機２ａも内調機２と同様な構成で、塵や埃等の微粒子を取り除くフィルタ８ａ、冷却コイル９ａ、加熱コイル１０ａ、加湿コイル１１ａ、送風ファン１２ａを有している。冷却コイル９ａには、冷凍機２０から冷却のための冷水等が供給され、加熱コイル１０ａには、ボイラ２１から加熱のための温水、蒸気等が供給され、加湿コイル１１ａには加湿のための水、蒸気等が供給される。これら、冷水、温水、蒸気等は、後述する所定の温湿度になるようにそれぞれの供給バルブ１３ａ，１４ａ，１５ａの開度は、ＰＬＣとＰＩＤ制御手段を備える制御装置２２ａにより制御される。
【００２３】
また、本発明による空調制御では、クリーンルーム１から循環される環気の温湿度を計測する温度計７ａ４と湿度計７ｂ４が設置され、また、外調機２ａに導入される外気の温湿度を計測する温度計７ａ３と湿度計７ｂ３が設置される。そして、クリーンルーム１内の温湿度は、従来と同様に温度計７ａ１と湿度計７ｂ１により計測され、外調機２ａの出口部分には、外調機２ａにより設定調整される温湿度を計測する温度計７ａ２と湿度計７ｂ２が設置される。これらの温度計・湿度計によって計測されたセンサ信号は、内調機２の制御装置２２及び外調機２ａの制御装置２２ａに入力され、演算処理により所定の空調制御が実行される。
【００２４】
次に、本発明による空調制御方法について説明する。図１のクリーンルーム１の温湿度を、例えば、温度が２４℃±３℃、相対湿度を４５％±１０％のように公差を持たせて設定したとする。これを、湿り空気線図で示すと、図２のようになり、目標点Ｐを中心として温度の上限値（２７℃）と下限値（２１℃）と相対湿度の上限値（５５％）と下限値（３５％）を示す枠Ｓ（以下、公差枠Ｓという）が設定される。通常、内調機２によってクリーンルーム１の温湿度は、目標点Ｐを中心として公差枠Ｓの内側に入るように制御されるが、本発明においては、図６及び図７で説明したような不感帯制御を行うものとする。また、環気と外気の混合比は、例えば、環気を「３」に対して外気を「１」の割合で行うものとする。なお、環気と外気の混合比は、クリンルーム１の清浄度、取り扱われる有機溶剤等によって任意に設定される。
【００２５】
外気と環気を混合したとき、その混合気の温湿度は、その混合比率に応じた中間値になる。図２の湿り空気線図で、環気の温湿度が、例えば、公差枠Ｓの内側のＪ点にあり、外気の温湿度が設定値より低温のＲ１点にあるとする。外気のＲ１点が、外調機２ａによって、例えば、Ｒ１ａ点まで加温、加湿される。次いで、Ｊ点の環気とＲ１ａ点の外気が混合され、その混合比に応じたＵ１点の混合気となる。このＵ１点の混合気は、内調機２により所定値に制御され給気ダクト４を経てクリーンルーム１内に吹出される。
【００２６】
ここで、図６，７で説明したような不感帯制御が行われるとする。この場合、外調機２ａによりＲ１からＲ１ａ点に加熱、加湿された外気と、Ｊ点にある環気とが混合された時点で、その混合気の温湿度のＵ１点が公差枠Ｓの内側にあれば、内調機２での制御は不要で、送風ファン１２で給気ダクト４を経てクリーンルーム内に送るだけでよい。しかし、外気と環気を混合したとき、混合気のＵ１点が公差枠Ｓの内側になるということは、不感帯制御が十分生かされていないということになり、外調機２ａによるＲ１からＲ１ａの制御は、過加熱であるということになる。
【００２７】
本発明では、外気と環気を混合したとき、混合気のＵ１点が公差枠Ｓ上にくるようなＲ１ａ点に、外気の出口部分の温湿度を調整する。このため、少なくとも、環気の温湿度を温度計７ａ４、湿度計７ｂ４で計測し、外気の温湿度を温度計７ａ３、湿度計７ｂ３で計測し、その計測値を外調機２ａの制御装置２２ａに入力する。そして、演算処理により外気の出口部分における温湿度を上記のような値に設定し制御する。
【００２８】
また、外気が設定値より高温のＲ２点にあるとする。この場合も同様で外気のＲ２点が、外調機２ａによって、例えば、Ｒ２ａ点まで冷却、除湿される。次いで、Ｊ点の環気とＲ２ａ点の外気が混合され、その混合比に応じたＵ２点の混合気が得られる。そして、この混合気の温湿度を示すＵ２点が、混合した時点で公差枠Ｓ上にくるようなＲ２ａ点に、外気の温湿度を調整する。
【００２９】
また、外気が設定値より湿度の高いＲ３点にあるとする。この場合も外気のＲ３点が、外調機２ａによって、例えば、Ｒ２ａ点まで除湿される。次いで、Ｊ点の環気とＲ３ａ点の外気が混合され、その混合比に応じたＵ３点の混合気となる。なお、外気が設定値より湿度の低いＲ４点にある場合も、外調機２ａによって、例えば、Ｒ４ａ点まで加湿され、次いで、Ｊ点の環気とＲ４ａ点の外気が混合され、その混合比に応じたＵ４の混合気となる。そして、これらＵ３点又はＵ４が、混合した時点で公差枠Ｓ上にくるようにＲ３ａ点又はＲ４ａ点に、外気の温湿度を調整する。
【００３０】
上述のように、外調機２ａでは、実質的には外気の温湿度を目標値の公差幅の内側に入るような制御を行わず、公差幅の外側の温湿度で設定調整される。この結果、過加熱、過冷却、過加湿、過除湿というような過調整をなくし、無駄なエネルギーの消費を抑えて一層の省エネを推進することが可能となる。
【００３１】
また、外調機２ａによる外気の温湿度の調整は、図３に示すような方法で行うことができる。図２において湿り空気線図上に設定値の公差枠Ｓを設定したとき、外気がどのような状態にあるか、例えば、公差枠Ｓ内を含めて８つのパターン（１）〜（８）を想定する。そして、この外気の状態に応じて外調機を制御することにより、効率よく省エネを実施することが可能となる。なお、図３に示す公差枠Ｓは、内調機２により制御されるクリーンルーム１内又は給気ダクト４からの吹出し空気の温湿度の公差枠Ｓと同じであるが、外調機２ａでは、図２で説明したように、この公差枠Ｓの外側にＲ１ａ〜Ｒ４ａが設定調整される。
【００３２】
図３において、パターン（１）は、外気の温湿度が、上限相対湿度と上限温度が交差するａ点の上限露点温度以上の領域にある場合である。この場合は、外気の出口部分（外気給気ダクト３ａの部分）における温湿度が、ａ点に向かうように設定し、冷却、除湿、加熱制御を行う。
パターン（２）は、外気の温湿度が、上限相対湿度と下限温度が交差するｂ点の露点温度以上と上記ａ点の上限露点温度以下と上限相対湿度以上で囲われる領域にある場合である。この場合は、外気の出口部分における温湿度が、上限相対湿度のラインに向かうように設定し、冷却、除湿、加熱制御を行う。また、この場合、除湿制御は行わず冷却制御のみを行うようにしてもよい。
【００３３】
パターン（３）は、外気の温湿度が、下限相対湿度と上限温度が交差するｄ点の露点温度以上と上記ａ点の上限露点温度以下と上限温度以上で囲われる領域にある場合である。この場合は、外気の出口部分における温湿度が、上限温度に向かうように設定し、冷却制御のみを行い、除湿制御は行わない。
パターン（４）は、外気の温湿度が、上記ｄ点の露点温度以下と上限温度以上で囲われる領域にある場合である。この場合は、外気の出口部分における温湿度が、ｄ点に向かうように設定し、冷却制御、加湿制御を行う。
【００３４】
パターン（５）は、外気の温湿度が、下限相対湿度以下と上限温度以下と下限温度以上で囲われる領域にある場合である。この場合は、外気の出口部分における温湿度が、下限相対湿度のラインに向かうように設定し、冷却又は加熱の温度制御は行わず、加湿制御のみを行う。
パターン（６）は、外気の温湿度が、下限相対湿度と下限温度が交差するｃ点の露点温度以下と下限温度以下で囲われる領域にある場合である。この場合は、外気の出口部分における温湿度が、ｃ点に向かうように設定し、加熱制御、加湿制御を行う。
【００３５】
パターン（７）は、外気の温湿度が、上記ｂ点の露点温度以下と上記ｃ点の上限露点温度以上と下限温度以下で囲われる領域にある場合である。この場合は、下限温度に向かうように設定し、加熱制御のみを行い、加湿制御は行わない。
パターン（８）は、外気の温湿度が、クリーンルーム１内の設定値の公差枠Ｓ内に入る場合で、この場合は温度制御も湿度制御も行わない。
【００３６】
また、内調機２による吹出し空気の温湿度（実質的にはクリーンルーム１の温湿度とほぼ同じ）の調整は、図４に示すような不感帯制御で行うことができる。例えば、図２で示したのと同様に、クリーンルーム１内の空調制御の目標範囲が、例えば、温度が２４℃±３℃、相対湿度を４５％±１０％に設定されているとする。そして、温度制御は、例えば、冷却する場合は冷却用のＰＩＤ制御手段を用い、加熱する場合は加熱用のＰＩＤ制御手段が用いられる。吹出し空気の温度が、クリーンルーム１の制御目標の上限値（２７℃）と下限値（２１℃）の間の温度範囲内となったときに、不感帯制御によりＰＩＤ制御手段の制御が停止され、内調機２の加熱又は冷却駆動操作が停止される。
【００３７】
また、湿度制御も同様にして、例えば、除湿する場合は除湿用のＰＩＤ制御手段を用い、加湿する場合は加湿用のＰＩＤ制御手段が用いられる。吹出し空気の湿度が、クリーンルーム１の制御目標の上限値（５５％）と下限値（３５％）の間の湿度範囲内となったときに、不感帯制御によりＰＩＤ制御手段の制御が停止され、内調機２の除湿又は加湿駆動操作は停止される。
【００３８】
上記の不感帯制御に加えて、図２で説明したように外気と環気が混合されたときの混合気の温度及び湿度が、目標値の上限値又は下限値上にあると、内調機２は不感帯制御に入るか否かの境界にあり、これは不感帯制御を最も効率よく実施できる状態である。また、混合気の温度及び湿度が目標値の公差幅の上限又は下限の領域上になるように外気の温度及び湿度を調整することは、外調機による過度の制御を制限することになり、外調機を最も効率よく駆動操作していることになる。したがって、外調機及び内調機の両方を、最も効率的に稼動させることが可能となり、従来と比べてより大きな省エネを実現することができる。
【００３９】
本発明によれば、温湿度の公差幅を温度で±３℃、湿度で±１５％とすることにより、６０〜７０％の動力費を削減することができた。また、温湿度の公差幅を温度で±２℃、湿度で±１０％とした場合は、５０％前後の動力費を削減ができ、温湿度の公差幅を温度で±１℃、湿度で±５％とした場合は、３０〜４０％の動力費を削減することができた。
【図面の簡単な説明】
【００４０】
【図１】本発明による空調制御装置の概略を説明する図である。
【図２】本発明による空調制御方法の概略を説明する図である。
【図３】本発明における外調機の制御の一例を説明する図である。
【図４】本発明における内調機の制御の一例を説明する図である。
【図５】従来の空調制御装置の一例を説明する図である。
【図６】従来の空調制御方法の一例を説明する図である。
【図７】従来の不感帯制御による省エネを説明する図である。
【図８】従来の内調機と外調機を備えた空調制御装置の一例を説明する図である。
【符号の説明】
【００４１】
１…クリーンルーム、２…内調機、２ａ…外調機、３…外気ダクト、４…給気ダクト、５…環気ダクト、６…排気ダクト、７ａ１〜７ａ４…温度計、７ｂ１〜７ｂ４…湿度計、８，８ａ…フィルタ、９，９ａ…冷却コイル、１０，１０ａ…加熱コイル、１１，１１ａ…加湿コイル、１２，１２ａ…送風ファン、１３〜１５，１３ａ〜１５ａ…供給バルブ、２０…冷凍機、２１…ボイラ、２２，２２ａ…制御装置。
【図１】
2007232331.tif 000003
【図２】
2007232331.tif 000004
【図３】
2007232331.tif 000005
【図４】
2007232331.tif 000006
【図５】
2007232331.tif 000007
【図６】
2007232331.tif 000008
【図７】
2007232331.tif 000009
【図８】
2007232331.tif 000010